(57)【要約】【課題】従来の地図情報処理装置においては、容易に所望の場所の地図が出力されない、という課題があった。【解決手段】格納されている２以上の地点情報が有する２以上の用語を読出し、メニューとして構成して出力する用語メニュー出力部と、出力された２以上の用語のうち、一の用語に対する指示である用語指示を受け付ける受付部と、受け付けた指示に対応する一の用語と対になる位置情報と縮尺情報を取得する位置縮尺情報取得部と、位置縮尺情報取得部が取得した位置情報と縮尺情報を用いて、格納されている地図情報から、出力する地図情報を取得する地図情報取得部と、取得された地図情報を出力する地図情報出力部を具備する地図情報処理装置により、容易に所望の場所の地図が出力できる。【選択図】図２
2008257172.tif 000002
【特許請求の範囲】
【請求項１】
地図情報を格納している地図情報格納部と、
用語と当該用語に対応する地図上の位置を示す位置情報と前記地図の縮尺についての情報である縮尺情報を有する地点情報を２以上格納している地点情報格納部と、
前記２以上の地点情報が有する２以上の用語を読出し、メニューとして構成して出力する用語メニュー出力部と、
前記用語メニュー出力部が出力した２以上の用語のうち、一の用語に対する指示である用語指示を受け付ける受付部と、
前記受付部が受け付けた指示に対応する一の用語と対になる位置情報と縮尺情報を取得する位置縮尺情報取得部と、
前記位置縮尺情報取得部が取得した位置情報と縮尺情報を用いて、前記地図情報格納部の地図情報から、出力する地図情報を取得する地図情報取得部と、
前記地図情報取得部が取得した地図情報を出力する地図情報出力部を具備する地図情報処理装置。
【請求項２】
前記地点情報は、
用語を説明するための情報である付属情報をも含み、
前記受付部が受け付けた指示に対応する一の用語と対になる付属情報を、前記地点情報格納部から読み出し、出力する付属情報出力部をさらに具備する請求項１記載の地図情報処理装置。
【請求項３】
前記地図情報出力部は、
出力されている地図情報から、最終的に前記位置情報と前記縮尺情報で特定される地図情報が出力されるまで、初期の地図情報から最終的が地図情報に移行する途中の地図情報を少なくとも一度以上出力する請求項１または請求項２記載の地図情報処理装置。
【請求項４】
前記地図情報出力部は、
出力されている地図情報から、１段階以上、ズームアウトし、次に、前記位置情報で示される位置に近づくように、１段階以上、移動し、次に、前記縮尺情報で特定される縮尺に近づくように、１段階以上、ズームインし、前記位置情報および前記縮尺情報で特定される地図情報が最終的に出力されるように、多段的に地図情報を出力する請求項１または請求項２記載の地図情報処理装置。
【請求項５】
前記２以上の地点情報が有する２以上の用語は、階層化された情報である請求項１から請求項４いずれか記載の地図情報処理装置。
【請求項６】
コンピュータを、
２以上の地点情報が有する２以上の用語を、記憶媒体から読出し、メニューとして構成して出力する用語メニュー出力部と、
前記用語メニュー出力部が出力した２以上の用語のうち、一の用語に対する指示である用語指示を受け付ける受付部と、
前記受付部が受け付けた指示に対応する一の用語と対になる位置情報と縮尺情報を、記憶媒体から取得する位置縮尺情報取得部と、
前記位置縮尺情報取得部が取得した位置情報と縮尺情報を用いて、記憶媒体に格納されている地図情報から、出力する地図情報を取得する地図情報取得部と、
前記地図情報取得部が取得した地図情報を出力する地図情報出力部として機能させるためのプログラム。
【請求項７】
画像情報を格納している画像情報格納部と、
用語と当該用語に対応する画像上の位置を示す位置情報を有する地点情報を２以上格納し得る地点情報格納部と、
用語または用語を含む文章である出力情報を格納している出力情報格納部と、
前記用語を指示可能な態様で、前記出力情報を出力する出力情報出力部と、
前記出力情報出力部が出力した出力情報中の一の用語に対する指示である用語指示を受け付ける受付部と、
前記受付部が受け付けた用語指示に対応する一の用語と対になる位置情報を取得する位置情報取得部と、
前記位置情報取得部が取得した位置情報を用いて、前記画像情報格納部の画像情報から、出力する画像情報を取得する画像情報取得部と、
前記画像情報取得部が取得した画像情報を出力する画像情報出力部を具備する画像情報処理装置であって、
前記画像情報出力部は、
出力されている画像情報から、１段階以上、ズームアウトし、次に、前記位置情報で示される位置に近づくように、１段階以上、移動し、次に、１段階以上、ズームインし、前記位置情報で特定される画像情報が最終的に出力されるように、多段的に画像情報を出力する画像情報処理装置。
【請求項８】
前記画像情報は、地図情報である請求項７記載の画像情報処理装置。
【請求項９】
コンピュータを、
用語を指示可能な態様で、出力情報を出力する出力情報出力部と、
前記出力情報出力部が出力した出力情報中の一の用語に対する指示である用語指示を受け付ける受付部と、
前記受付部が受け付けた用語指示に対応する一の用語と対になる位置情報を取得する位置情報取得部と、
前記位置情報取得部が取得した位置情報を用いて、記憶媒体から、出力する画像情報を取得する画像情報取得部と、
前記画像情報取得部が取得した画像情報を出力する画像情報出力部として機能させるためのプログラムであって、
前記画像情報出力部を、
出力されている画像情報から、１段階以上、ズームアウトし、次に、前記位置情報で示される位置に近づくように、１段階以上、移動し、次に、１段階以上、ズームインし、前記位置情報で特定される画像情報が最終的に出力されるように、多段的に画像情報を出力するように機能させるためのプログラム。
【発明の詳細な説明】
【技術分野】
【０００１】
本発明は、地図情報等の画像情報を処理する画像情報処理装置等に関するものである。
【背景技術】
【０００２】
従来の地図情報処理装置において、ユーザが地図で見たい場所の住所を入力するなどすれば場所に移動するものがあった（例えば、非特許文献１参照）。
【非特許文献１】インターネット<URL： http://maps.google.co.jp/>
【発明の開示】
【発明が解決しようとする課題】
【０００３】
しかしながら、従来の地図情報処理装置においては、キーボードを用いて住所を入力して、はじめてユーザが見たい場所の地図が表示できた。
【課題を解決するための手段】
【０００４】
本第一の発明の地図情報処理装置は、地図情報を格納している地図情報格納部と、用語と当該用語に対応する地図上の位置を示す位置情報と前記地図の縮尺についての情報である縮尺情報を有する地点情報を２以上格納している地点情報格納部と、前記２以上の地点情報が有する２以上の用語を読出し、メニューとして構成して出力する用語メニュー出力部と、前記用語メニュー出力部が出力した２以上の用語のうち、一の用語に対する指示である用語指示を受け付ける受付部と、前記受付部が受け付けた指示に対応する一の用語と対になる位置情報と縮尺情報を取得する位置縮尺情報取得部と、前記位置縮尺情報取得部が取得した位置情報と縮尺情報を用いて、前記地図情報格納部の地図情報から、出力する地図情報を取得する地図情報取得部と、前記地図情報取得部が取得した地図情報を出力する地図情報出力部を具備する地図情報処理装置である。
【０００５】
かかる構成により、メニューから用語を選択するだけで、容易に所望の場所の地図が出力され、かつ、当該用語に相応しい縮尺の地図が出力される。
【０００６】
また、本第二の発明の地図情報処理装置は、第一の発明に対して、前記地点情報は、用語を説明するための情報である付属情報をも含み、前記受付部が受け付けた指示に対応する一の用語と対になる付属情報を、前記地点情報格納部から読み出し、出力する付属情報出力部をさらに具備する地図情報処理装置である。
【０００７】
かかる構成により、ユーザが選択した用語を補助的に説明する付属情報も出力できる。
【０００８】
また、本第三の発明の地図情報処理装置は、第一、第二いずれかの発明に対して、前記地図情報出力部は、出力されている地図情報から、最終的に前記位置情報と前記縮尺情報で特定される地図情報が出力されるまで、初期の地図情報から最終的が地図情報に移行する途中の地図情報を少なくとも一度以上出力する地図情報処理装置である。
【０００９】
かかる構成により、スムーズに最終的な地図の出力に移行できる。
【００１０】
また、本第四の発明の地図情報処理装置は、第一、第二いずれかの発明に対して、前記地図情報出力部は、出力されている地図情報から、１段階以上、ズームアウトし、次に、前記位置情報で示される位置に近づくように、１段階以上、移動し、次に、前記縮尺情報で特定される縮尺に近づくように、１段階以上に、ズームインし、前記位置情報および前記縮尺情報で特定される地図情報が最終的に出力されるように、多段的に地図情報を出力する地図情報処理装置である。
【００１１】
かかる構成により、ユーザは、飛行機に乗りながら、目的地点に移動するように、全体の中の目的地点の位置をわかり易く確認しながら、目的地点に目線が移動できる。
【００１２】
また、本第五の発明の地図情報処理装置は、第一から第四いずれかの発明に対して、前記２以上の地点情報が有する２以上の用語は、階層化された情報である地図情報処理装置である。
【００１３】
かかる構成により、ユーザが用語を選択しやすい環境を提供できる。
【００１４】
また、本第六の発明の画像情報処理装置は、画像情報を格納している画像情報格納部と、用語と当該用語に対応する画像上の位置を示す位置情報を有する地点情報を２以上格納し得る地点情報格納部と、用語または用語を含む文章である出力情報を格納している出力情報格納部と、前記用語を指示可能な態様で、前記出力情報を出力する出力情報出力部と、前記出力情報出力部が出力した出力情報中の一の用語に対する指示である用語指示を受け付ける受付部と、前記受付部が受け付けた用語指示に対応する一の用語と対になる位置情報を取得する位置情報取得部と、前記位置情報取得部が取得した位置情報を用いて、前記画像情報格納部の画像情報から、出力する画像情報を取得する画像情報取得部と、前記画像情報取得部が取得した画像情報を出力する画像情報出力部を具備する画像情報処理装置であって、前記画像情報出力部は、出力されている画像情報から、１段階以上、ズームウトし、次に、前記位置情報で示される位置に近づくように、１段階以上、移動し、次に、１段階以上、ズームインし、前記位置情報で特定される画像情報が最終的に出力されるように、多段的に画像情報を出力する画像情報処理装置である。
【００１５】
かかる構成により、ユーザは、飛行機に乗りながら、目的地点に移動するように、全体の中の目的地点の位置をわかり易く確認しながら、目的地点に目線が移動できる。
【発明の効果】
【００１６】
本発明による地図情報処理装置によれば、メニューから用語を選択するだけで、容易に所望の場所の地図が出力され、かつ、当該用語に相応しい縮尺の地図が出力できる。
【発明を実施するための最良の形態】
【００１７】
以下、地図情報処理装置等の実施形態について図面を参照して説明する。なお、実施の形態において同じ符号を付した構成要素は同様の動作を行うので、再度の説明を省略する場合がある。
【００１８】
（実施の形態１）
【００１９】
図１は、本実施の形態における地図情報処理システムの概念図である。地図情報処理システムは、地図情報処理装置１１と情報端末装置１２を有する。地図情報処理装置１１は、地図情報を格納しているサーバ装置である。また、情報端末装置１２はユーザが操作する端末であり、例えば、パソコンや携帯端末や携帯電話等である。
【００２０】
図２は、本実施の形態における地図情報処理システムのブロック図である。
【００２１】
地図情報処理装置１１は、地図情報格納部１１０１、地点情報格納部１１０２、受付部１１０３、用語メニュー出力部１１０４、位置縮尺情報取得部１１０５、地図情報取得部１１０６、地図情報出力部１１０７、付属情報出力部１１０８を具備する。
【００２２】
情報端末装置１２は、入力受付部１２０１、指示送信部１２０２、メニュー受信部１２０３、地図情報受信部１２０４、出力部１２０５を具備する。
【００２３】
地図情報格納部１１０１は、1以上の地図情報を格納している。地図情報のデータ構造は問わない。地図情報は、ビットマップデータでも良いし、グラフデータ等でも良い。また、地図情報は、空撮した写真データや地形図やハザードマップ等でも良い。地図情報のデータ構造、フォーマット等は問わない。また、地図情報格納部１１０１は、後述する用語メニュー指示が受け付けられた場合に出力する初期画像も格納していることが好適である。初期画像は、例えば、1以上の地図情報に対応する地域をすべて含んだ地図情報や、地球の画像や、所定の地域の地図情報（最小の縮尺であるとは限らない）である。また、地図情報は、その縮尺を示す縮尺情報（たとえば、「１／１００００」「１／５０００」など）と、その領域を示す位置情報を保持している。位置情報は、地図情報の中心地点を示す情報でも良いし、矩形領域を示す情報（例えば、左上の経度・緯度（ｘ１，ｙ１）と右下の経度・緯度（ｘ２，ｙ２）など）でも良い。地図情報格納部１１０１は、通常、多数の縮尺の異なる地図情報を保持している。地図情報格納部１１０１は、不揮発性の記録媒体が好適であるが、揮発性の記録媒体でも実現可能である。
【００２４】
地点情報格納部１１０２は、地点情報を２以上格納している。地点情報は、用語と位置情報と縮尺情報を有する。また、地点情報は、さらに、付属情報をも含んでも良い。位置情報は、当該用語に対応する地図上の位置を示す情報である。縮尺情報は、地図の縮尺についての情報である。付属情報は、用語を説明するための情報であり、そのデータ構造は問わない。付属情報は、静止画でも動画でも音声でも良い。地点情報格納部１１０２の用語は、位置情報とも、縮尺情報とも対になっていないものがあっても良い。また、２以上の地点情報が有する２以上の用語は、階層化された情報であることは好適である。地点情報格納部１１０２は、不揮発性の記録媒体が好適であるが、揮発性の記録媒体でも実現可能である。
【００２５】
受付部１１０３は、指示を受け付ける。この受け付けとは、情報端末装置１２からの受信でも良いし、ユーザからの入力手段（入力手段は、テンキーやキーボードやマウスやメニュー画面によるもの等、何でも良い。）を用いた入力受付でも良い。受付部１１０３は、例えば、用語メニューの出力指示である用語メニュー出力指示を受け付ける。用語メニューとは、用語を項目として有するメニューである。受付部１１０３は、例えば、用語メニュー出力部１１０４が出力した２以上の用語のうち、一の用語に対する指示である用語指示を受け付ける。受付部１１０３は、無線または有線の通信手段で実現され得る。なお、用語とは、単語を含み、文章等でも良い。用語とは、文字列等と、広く解する。
【００２６】
用語メニュー出力部１１０４は、２以上の地点情報が有する２以上の用語を読出し、メニューとして構成して出力する。ここで、出力とは、通常、情報端末装置１２への送信であるが、ディスプレイへの表示、外部の装置（ディスプレイ装置）への送信等を含む概念である。用語メニュー出力部１１０４は、無線または有線の通信手段で実現され得る。
【００２７】
位置縮尺情報取得部１１０５は、受付部１１０３が受け付けた指示に対応する一の用語と対になる位置情報と縮尺情報を取得し、メモリ上に配置する。位置縮尺情報取得部１１０５は、通常、ＭＰＵやメモリ等から実現され得る。位置縮尺情報取得部１１０５の処理手順は、通常、ソフトウェアで実現され、当該ソフトウェアはＲＯＭ等の記録媒体に記録されている。但し、ハードウェア（専用回路）で実現しても良い。
【００２８】
地図情報取得部１１０６は、位置縮尺情報取得部１１０５が取得した位置情報（例えば、（緯度，経度））と縮尺情報（縮尺の倍率を示す情報）を用いて、地図情報格納部１１０１の地図情報から、出力する地図情報を取得し、メモリ上に配置する。なお、位置情報（例えば、（緯度，経度））と縮尺情報（縮尺の倍率を示す情報）が決まっている場合に、出力する地図情報を取得する技術は公知技術であるので詳細な説明を省略する。地図情報取得部１１０６は、通常、縮尺情報が示す倍率の地図情報を読出し、位置情報が示す地点を中心に、予め決められた大きさの矩形領域を切り出して、メモリ上に配置する。地図情報取得部１１０６は、通常、ＭＰＵやメモリ等から実現され得る。地図情報取得部１１０６の処理手順は、通常、ソフトウェアで実現され、当該ソフトウェアはＲＯＭ等の記録媒体に記録されている。但し、ハードウェア（専用回路）で実現しても良い。
【００２９】
地図情報出力部１１０７は、地図情報取得部１１０６が取得した地図情報を出力する。地図情報出力部１１０７は、地図情報を出力する場合に、出力されている初期の地図情報から、最終的に位置情報と縮尺情報で特定される地図情報が出力されるまで、初期の地図情報から最終的な地図情報に移行する途中の地図情報を少なくとも一度以上出力しても良い。また、地図情報出力部１１０７は、出力されている地図情報から、１段階以上、ズームアウトし、次に、前記位置情報で示される位置に近づくように、１段階以上、移動し、次に、前記縮尺情報で特定される縮尺に近づくように、１段階以上、ズームインし、前記位置情報および前記縮尺情報で特定される地図情報が最終的に出力されるように、多段的に地図情報を出力することは好適である。ここで、出力とは、通常、情報端末装置１２への送信であるが、ディスプレイへの表示、外部の装置（情報端末装置１２、ディスプレイ装置など）への送信等を含む概念である。また、「１段階以上、ズームアウトする」とは、縮尺情報が小さい（縮尺の小さい）地図情報を、順次、１度以上、出力する、という意味である。また、「１段階以上、移動する」とは、位置情報で示される位置に近づくように、順次、地図（画像）を移動する態様で、１度以上、地図情報を出力する、という意味である。「１段階以上、ズームインする」とは、縮尺情報が大きい（縮尺の大きい）地図情報を、順次、１度以上、出力する、という意味である。地図情報出力部１１０７は、ディスプレイやスピーカー等の出力デバイスを含むと考えても含まないと考えても良い。地図情報出力部１１０７は、無線または有線の通信手段で実現され得る。
【００３０】
付属情報出力部１１０８は、受付部１１０３が受け付けた指示に対応する一の用語と対になる付属情報を、地点情報格納部１１０２から読み出し、出力する。ここで、出力とは、通常、情報端末装置１２への送信であるが、ディスプレイへの表示、外部の装置（情報端末装置１２、ディスプレイ装置など）への送信等を含む概念である。付属情報出力部１１０８は、無線または有線の通信手段で実現され得る。
【００３１】
入力受付部１２０１は、ユーザからの入力を受け付ける。入力とは、例えば、各種指示の入力である。指示とは、用語メニューを出力する指示や、表示されている用語に対する指示である。指示等の入力手段は、テンキーやキーボードやマウスやメニュー画面によるもの等、何でも良い。入力受付部１２０１は、入力手段のデバイスドライバー等で実現され得る。
【００３２】
指示送信部１２０２は、入力受付部１２０１が受け付けた指示を、地図情報処理装置１１に送信する。指示送信部１２０２は、通常、無線または有線の通信手段で実現されるが、放送手段で実現されても良い。
【００３３】
メニュー受信部１２０３は、地図情報処理装置１１から用語メニューを受信する。メニュー受信部１２０３は、無線または有線の通信手段で実現され得る。
【００３４】
地図情報受信部１２０４は、地図情報処理装置１１から地図情報を受信する。地図情報受信部１２０４は、付属情報をも受信し得る。地図情報受信部１２０４は、無線または有線の通信手段で実現され得る。
【００３５】
出力部１２０５は、メニュー受信部１２０３が受信した用語メニューや、地図情報受信部１２０４が受信した地図情報や付属情報を出力する。ここで、出力とは、ディスプレイへの表示、外部の装置（ディスプレイ装置）への送信等を含む概念である。
【００３６】
次に、地図情報処理システムの動作について説明する。まず、地図情報処理装置１１の動作について、図３のフローチャートを用いて説明する。
【００３７】
（ステップＳ３０１）受付部１１０３は、指示を受け付けたか否かを判断する。指示を受け付ければステップＳ３０２に行き、指示を受け付けなければステップＳ３０１に戻る。なお、ここでの受付は、通常、受信である。
【００３８】
（ステップＳ３０２）用語メニュー出力部１１０４は、ステップＳ３０１で受け付けた指示が用語メニュー出力指示であるか否かを判断する。用語メニュー出力指示であればステップＳ３０３に行き、用語メニュー出力指示でなければステップＳ３０８に行く。
【００３９】
（ステップＳ３０３）地図情報取得部１１０６は、地図情報格納部１１０１から初期画像を読み出す。
【００４０】
（ステップＳ３０４）地図情報出力部１１０７は、ステップＳ３０３で読み出した初期画像を、画面上の所定の位置に出力する。
【００４１】
（ステップＳ３０５）用語メニュー出力部１１０４は、地点情報格納部１１０２の２以上の地点情報が有する２以上の用語を、地点情報格納部１１０２から読み出す。
【００４２】
（ステップＳ３０６）用語メニュー出力部１１０４は、ステップＳ３０５で読み出した２以上の用語から、出力するメニューを構成する。このメニューは、通常、階層化されている。
【００４３】
（ステップＳ３０７）用語メニュー出力部１１０４は、ステップＳ３０６で構成したメニューを出力する。ステップＳ３０１に戻る。
【００４４】
（ステップＳ３０８）位置縮尺情報取得部１１０５は、ステップＳ３０１で受け付けた指示が用語指示であるか否かを判断する。用語指示であればステップＳ３０９に行き、用語指示でなければステップＳ３０１に戻る。
【００４５】
（ステップＳ３０９）位置縮尺情報取得部１１０５は、ステップＳ３０１で受け付けた用語指示に対応する用語と対になる位置情報と縮尺情報を、地点情報格納部１１０２（メモリ上にある場合は、メモリ）から取得する。
【００４６】
（ステップＳ３１０）地図情報取得部１１０６は、カウンタｉに１を代入する。
【００４７】
（ステップＳ３１１）地図情報取得部１１０６は、i番目の地図情報が、出力の目的となる地図情報であるか否かを判断する。この判断は、例えば、以下のように行う。地図情報取得部１１０６は、現在、ディスプレイ上に表示されている地図情報（初期画像でも良い）の縮尺情報を取得する。そして、地図情報取得部１１０６は、現在の地図情報の縮尺情報と、ステップＳ３０９で取得した縮尺情報とを比較し、現在の地図情報の縮尺情報の次の縮尺情報（一つズームインした縮尺情報）がステップＳ３０９で取得した縮尺情報であれば、i番目の地図情報が、出力の目的となる地図情報であると判断する。なお、地図情報取得部１１０６は、すべての縮尺情報（例えば、１／１０００、１／２０００、１／３０００、１／５０００、１／１００００）を保持している。そして、現在の地図情報の縮尺情報が「１／２０００」であり、ステップＳ３０９で取得した縮尺情報が「１／１０００」である場合、地図情報取得部１１０６は、現在の地図情報の縮尺情報の次の縮尺情報がステップＳ３０９で取得した縮尺情報である、と判断する。また、ｎ（ｎは、２以上の固定された整数）段階に、序々に、ズームインしていくとして、地図情報取得部１１０６は、整数ｎを格納している、「ｎ＝ｉ」であるか否かを判断する。「ｎ＝ｉ」であれば、地図情報取得部１１０６は、i番目の地図情報が、出力の目的となる地図情報である、と判断する。i番目の地図情報が出力の目的となる地図情報であればステップＳ３１６に行き、i番目の地図情報が出力の目的となる地図情報でなければステップＳ３１２に行く。
【００４８】
（ステップＳ３１２）地図情報取得部１１０６は、ｉ番目の地図情報の位置情報と縮尺情報を取得する。例えば、初期画像の位置情報が（ｘ１，ｙ１）であり、出力の目的となる地図情報の位置情報が（ｘ２，ｙ２）であり、出力される地図情報が４段階に序々に、ズーム、および移動していき、５段階目で、目的となる地図情報が出力される場合を考える。かかる場合、地図情報取得部１１０６は、ｉ番目の地図情報の位置情報を、（ｘ１＋（（ｘ２−ｘ１）×ｉ／４），ｙ１＋（（ｙ２−ｙ１）×ｉ／４）として算出する。また、縮尺情報が、１／１０００、１／２０００、１／３０００、１／５０００、１／１００００のいずれかであり、初期画像の縮尺情報が「１／１００００」であり、目的となる地図情報の縮尺情報が「１／１０００」である場合、「ｉ＝１」の場合の縮尺情報は「１／５０００」、「ｉ＝２」の場合の縮尺情報は「１／３０００」、「ｉ＝３」の場合の縮尺情報は「１／２０００」、「ｉ＝４」の場合の縮尺情報は「１／１０００」となる。
【００４９】
（ステップＳ３１３）地図情報取得部１１０６は、ステップＳ３１２で取得した位置情報と縮尺情報に対応する地図情報を、地図情報格納部１１０１から取得する。地図情報取得部１１０６は、例えば、縮尺情報に対応する縮尺の地図情報を、地図情報格納部１１０１から読み出し、当該読み出した地図情報の中心を、ステップＳ３１２で取得した位置情報とし、当該中心から出力する領域のサイズ（Ｗ，Ｈ）に切り出し、当該切り出した地図情報をメモリ上に配置する。
【００５０】
（ステップＳ３１４）地図情報出力部１１０７は、ステップＳ３１３で取得した地図情報を出力する。
【００５１】
（ステップＳ３１５）地図情報取得部１１０６は、カウンタｉを１、インクリメントする。ステップＳ３１１に戻る。
【００５２】
（ステップＳ３１６）ステップＳ３１３と同じ。
【００５３】
（ステップＳ３１７）ステップＳ３１４と同じ。
【００５４】
（ステップＳ３１８）付属情報出力部１１０８は、ステップＳ３０１で受け付けた用語指示に対応する用語と対になる付属情報を、地点情報格納部１１０２から取得する。
【００５５】
（ステップＳ３１９）付属情報出力部１１０８は、ステップＳ３１８で取得した付属情報を出力する。
【００５６】
なお、図３のフローチャートにおいて、電源オフや処理終了の割り込みにより処理は終了する。
【００５７】
また、図３のフローチャートにおいて、用語に対応する付属情報を有しない場合、ステップＳ３１８、ステップＳ３１９の処理は実行されない。また、ユーザから、受付部１１０３が付属情報出力指示を受け付けた場合に、ステップＳ３１８、ステップＳ３１９の処理が、実行されても良い。
【００５８】
さらに、図３のフローチャートにおいて、ステップＳ３１３、ステップＳ３１４の目的の地図情報を出力するアルゴリズムは、以下のようにしても良い。以下のアルゴリズムは、表示されている地図情報（初期画像）に対して、まず、上昇（ズームアウト）し、目的地点を含む全体を見渡すようにする。そして、目的地点に下降（ズームイン）するアルゴリズムである。なお、上昇（ズームアウト）し、目的地点を含む全体を見渡すようにした後、目的地点が中心にくるように移動した後、用語に対応する縮尺情報に合致するように目的地点に下降（ズームイン）するアルゴリズムでも良い。前者は、例えば、空撮の場合、飛行機が上昇し、目的地点に向けて斜め下に降下していくイメージである。後者は、例えば、空撮の場合、飛行機が上昇し、移動し、真下に降下していくイメージである。かかるアルゴリズムを、図４のフローチャートを用いて説明する。
【００５９】
（ステップＳ４０１）地図情報取得部１１０６は、現在の画像が上昇の最終の地図情報であるか否かを判断する。地図情報取得部１１０６は、例えば、現在の画像に、目的地点の位置情報が含まれているか否かを判断する。また、地図情報取得部１１０６は、例えば、現在の画像が、地図情報格納部１１０１中の、最も縮尺の小さい地図情報であるか否かを判断する。そして、現在の画像が上昇の最終の地図情報であればステップＳ４０４に行き、現在の画像が上昇の最終の地図情報でなければステップＳ４０２に行く。
【００６０】
（ステップＳ４０２）地図情報取得部１１０６は、現在の地図情報に対して、ズームアウトした、次の縮尺の地図情報を、地図情報格納部１１０１から読み出す。地図情報取得部１１０６は、例えば、現在の地図情報より、一つ縮尺が小さい地図情報を、地図情報格納部１１０１から読み出し、出力される領域に合致するように地図情報を切り出す。その際、切り出す領域の中心は、現在の地図情報と同じでも良いし、目的の地点に近づくように、中心の位置情報を移動させても良い。
【００６１】
（ステップＳ４０３）地図情報出力部１１０７は、ステップＳ４０２で取得した地図情報を出力する。ステップＳ４０１に戻る。
【００６２】
（ステップＳ４０４）地図情報取得部１１０６は、目的の地点（位置情報が示す地点）が、中心になるように、出力する地図情報を取得する。そして、地図情報出力部１１０７は、その地図情報を出力する。なお、ここで、段階的（多段階）に、目的の地点（位置情報が示す地点）が中心になるように、地図情報を出力しても良い。また、ここで、地図情報の移動の際に、１段階以上、ズームインし、目的の地点に近づいても良い。
【００６３】
（ステップＳ４０５）地図情報取得部１１０６は、現在、出力中の地図情報が、目的となる地図情報の縮尺情報に合致するか否かを判断する。目的となる地図情報の縮尺情報に合致すれば処理を終了し、目的となる地図情報の縮尺情報に合致しなければステップＳ４０６に行く。
【００６４】
（ステップＳ４０６）地図情報取得部１１０６は、現在、出力中の地図情報に対して、一つズームインした縮尺情報に対応する地図情報を取得する。ここで、地図情報取得部１１０６は、出力する領域に合致するように、地図情報を切り出すことは好適である。
【００６５】
（ステップＳ４０７）地図情報出力部１１０７は、ステップＳ４０６で取得した地図情報を出力する。ステップＳ４０５に戻る。
【００６６】
なお、多段階に地図情報をズームアウトする処理、多段階に地図情報をズームインする処理、多段階に地図情報を移動する処理は、単独では公知技術であるので、さらなる詳細な動作説明は省略する。
【００６７】
次に、情報端末装置１２の動作について説明する。情報端末装置１２の入力受付部１２０１は、ユーザから入力手段を用いて入力された、各種の指示を受け付ける。そして、指示送信部１２０２は、当該指示を地図情報処理装置１１に送信する。そして、メニュー受信部１２０３は、用語メニューを地図情報処理装置１１から受信し、出力部１２０５は用語メニューをディスプレイ上に出力する。また、地図情報受信部１２０４は、地図情報または付属情報を受信し、出力部１２０５は、当該地図情報または付属情報を、ディスプレイ上に出力する。
【００６８】
以下、本実施の形態における地図情報処理装置の具体的な動作について説明する。
【００６９】
今、地点情報格納部１１０２は、図５に示す地点情報管理表を格納している。地点情報管理表は、地点情報と付属情報を有する１以上のレコードを多数格納している。地点情報は、「ＩＤ」「グループ情報」「用語」「位置情報（経度，緯度）」「縮尺情報」「付属情報」を有する。「グループ情報」は、「用語」をグループ化する情報であり、階層的なメニューを構成する場合に用いる。また、地点情報格納部１１０２は、地点情報管理表に記載されている付属情報（例えば、「ビデオＸ」「静止画Ｙ」）に対応する実体データ（動画、音声、静止画、テキストなど、データ構造は問わない）も格納している。また、地図情報格納部１１０１で、用意している地図情報の縮尺は、「１／５００」「１／１０００」「１／２０００」「１／３０００」「１／５０００」「１／１００００」である、とする。
【００７０】
かかる場合、ユーザは、情報端末装置１２の入力手段（マウスやキーボードなど）を用いて、用語メニュー出力指示を入力する。
【００７１】
そして、情報端末装置１２の入力受付部１２０１は、用語メニュー出力指示を受け付ける。次に、指示送信部１２０２は、用語メニュー出力指示を地図情報処理装置１１に送信する。
【００７２】
次に、地図情報処理装置１１の受付部１１０３は、用語メニュー出力指示を受信する。そして、地図情報取得部１１０６は、地図情報格納部１１０１から初期画像（地図情報）を読み出す。そして、地図情報出力部１１０７は、読み出した初期画像を、情報端末装置１２の画面上の所定の位置に出力するように、情報端末装置１２に送信する。
【００７３】
次に、情報端末装置１２の地図情報受信部１２０４は、初期画像を受信する。そして、出力部１２０５は、初期画像を画面上の所定の位置に出力する。
【００７４】
次に、用語メニュー出力部１１０４は、図５に示す地点情報管理表から、２以上の用語とグループ情報を読み出す。そして、用語メニュー出力部１１０４は、読み出した２以上の用語とグループ情報から、階層化されている用語メニューを構成する。そして、用語メニュー出力部１１０４は、構成した用語メニューを、情報端末装置１２に送信する。
【００７５】
次に、情報端末装置１２のメニュー受信部１２０３は、用語メニューを、地図情報処理装置１１から受信する。そして、出力部１２０５は、用語メニューを予め決められた領域に表示する。かかる情報端末装置１２の表示例を、図６に示す。図６において、グループ情報は、タブとして表示されており、ここでは、２階層の階層化された用語メニューが表示されている。なお、用語メニューは３階層以上でも良いことは言うまでもない。
【００７６】
次に、ユーザは、マウスで、用語メニューの中の「ＡＢＣ公園」を指示した、とする。つまり、ユーザは、「ＡＢＣ公園」を含む用語指示を入力した、とする。そして、情報端末装置１２の入力受付部１２０１は、「ＡＢＣ公園」を含む用語指示を受け付ける。次に、指示送信部１２０２は、「ＡＢＣ公園」を含む用語指示を、地図情報処理装置１１に送信する。
【００７７】
次に、地図情報処理装置１１の受付部１１０３は、「ＡＢＣ公園」を含む用語指示を受信する。そして、位置縮尺情報取得部１１０５は、受け付けた用語指示に対応する用語「ＡＢＣ公園」と対になる位置情報（ｘ１，ｙ１）と縮尺情報「１／１０００」を、地点情報管理表から読み出す。
【００７８】
次に、地図情報取得部１１０６は、現在の画像が上昇の最終の地図情報であるか否かを判断する。ここで、現在の画像である初期画像は、例えば、初期画像の縮尺情報は「１／３０００」であり、上昇の最終の地図情報の縮尺情報は「１／１００００」である、とする。すると、地図情報取得部１１０６は、現在の画像が上昇の最終の地図情報でない、と判断する。
【００７９】
そして、地図情報取得部１１０６は、現在の地図情報「１／３０００」に対して、ズームアウトした、次の縮尺の地図情報「１／５０００」を、地図情報格納部１１０１から読み出す。そして、地図情報取得部１１０６は、読み出した縮尺「１／５０００」の地図情報から、出力される領域（Ｗ，Ｈ）に合致するように地図情報を切り出す。そして、地図情報出力部１１０７は、取得した地図情報を、情報端末装置１２に送信する。
【００８０】
次に、情報端末装置１２の地図情報受信部１２０４は、地図情報処理装置１１から地図情報を受信し、出力部１２０５は、当該地図情報を、ディスプレイ上に出力する。
【００８１】
そして、地図情報処理装置１１の地図情報取得部１１０６は、現在の地図情報「１／５０００」に対して、ズームアウトした、次の縮尺の地図情報「１／１００００」を、地図情報格納部１１０１から読み出す。そして、地図情報取得部１１０６は、読み出した縮尺「１／１０００００」の地図情報から、出力される領域（Ｗ，Ｈ）に合致するように地図情報を切り出す。そして、地図情報出力部１１０７は、取得した地図情報を、情報端末装置１２に送信する。
【００８２】
次に、情報端末装置１２の地図情報受信部１２０４は、地図情報処理装置１１から地図情報を受信し、出力部１２０５は、当該地図情報を、ディスプレイ上に出力する。ここで、ズームアウトした地図情報の出力は、終了する。
【００８３】
次に、地図情報取得部１１０６は、目的の地点の位置情報（ｘ１，ｙ１）が示す地点が、中心になるように、出力する地図情報を取得する。つまり、地図情報取得部１１０６は、縮尺「１／１００００」または、ズームインした縮尺「１／５０００」の地図情報を取得し、当該地図情報において、その中心を（ｘ１，ｙ１）として、領域を予め決められた領域（Ｗ，Ｈ）になるように、地図情報を切り出す。そして、地図情報出力部１１０７は、取得した地図情報を、情報端末装置１２に送信する。なお、ここで、地図情報取得部１１０６は、地図情報の中心が（ｘ１，ｙ１）になるまで、多段階に移動するように、地図情報を取得し、地図情報出力部１１０７は、取得した複数の地図情報を、順次、情報端末装置１２に送信することは好適である。ここで、地図情報取得部１１０６は、予め決められた枚数（例えば、３枚）の地図情報を、現在地点から、目標地点（ｘ１，ｙ１）に近づくように、取得しても良いし、予め決められた距離を移動するように、地図情報を、現在地点から、目標地点（ｘ１，ｙ１）に近づくように、取得しても良い。
【００８４】
次に、情報端末装置１２の地図情報受信部１２０４は、目標地点（ｘ１，ｙ１）にその中心が移動するまで、１以上の地図情報を受信し、出力部１２０５は、当該１以上の地図情報を、順次、ディスプレイ上に出力する。
【００８５】
次に、地図情報取得部１１０６は、現在、出力中の地図情報（例えば、「１／５０００」）が、目的となる地図情報の縮尺情報「１／１０００」に合致するか否かを判断する。合致しないので、地図情報取得部１１０６は、現在、出力中の地図情報（例えば、「１／５０００」）に対して、一つズームインした縮尺情報「１／３０００」に対応する地図情報を取得する。そして、地図情報取得部１１０６は、当該地図情報を、出力するサイズ（Ｗ，Ｈ）に切り出す。次に、地図情報出力部１１０７は、取得した地図情報を、情報端末装置１２に送信する。
【００８６】
次に、情報端末装置１２の地図情報受信部１２０４は、地図情報処理装置１１から地図情報を受信し、出力部１２０５は、当該地図情報を、ディスプレイ上に出力する。
【００８７】
そして、地図情報取得部１１０６は、順次、目標地点（用語が示す地点）の縮尺情報「１／１０００」となるまで、順次、「１／２０００」、「１／１０００」の地図情報を読出し、かつ切り出す。そして、地図情報出力部１１０７は、取得した「１／２０００」、「１／１０００」の地図情報を、順次、情報端末装置１２に送信する。
【００８８】
そして、情報端末装置１２の地図情報受信部１２０４は、地図情報処理装置１１から、ズームインしていく、地図情報を順次、受信し、出力部１２０５は、当該地図情報を、順次、ディスプレイ上に出力する。
【００８９】
そして、付属情報出力部１１０８は、受け付けた用語指示「ＡＢＣ公園」に対応する用語と対になる付属情報「ビデオＸ」の実体データを、地点情報格納部１１０２から取得する。付属情報出力部１１０８は、取得した付属情報「ビデオＸ」の実体データを、情報端末装置１２に送信する。
【００９０】
次に、地図情報受信部１２０４は、付属情報「ビデオＸ」を受信し、出力部１２０５は、付属情報を出力する。なお、例えば、付属情報「ビデオＸ」は、「ＡＢＣ公園」の魅力を伝える、音声と動画のデータである。また、付属情報「ビデオＸ」は、ここでは、例えば、地図情報等とは、別ウィンドウに出力される、とする。
【００９１】
以上の地図情報の出力動作は、図７のような動作である。つまり、まず、（１）上昇し、全体を見渡す。そして、(２)全体を把握しながら、目的地へ飛行する。さらに、（３）下降し、詳細を表示する。この動作は、丁度、ユーザが乗った飛行機が、現在地点から目的地点に移動する場合の動作に相当する。つまり、ユーザにとって、非常に、目的地点の位置が把握しやすい動作になっている。
【００９２】
また、以上の地図情報の出力動作の遷移を、図８に示す。図８は、図７の動作の概要の実際の地図出力の遷移のイメージを示す。
【００９３】
以上、本実施の形態によれば、メニューから用語を選択するだけで、容易に所望の場所の地図が出力され、かつ、当該用語に相応しい縮尺の地図が出力される。
【００９４】
なお、本実施の形態によれば、付属情報の出力は必須ではない。
【００９５】
また、本実施の形態において、地図情報処理装置１１が扱う情報は地図情報であったが、実施の形態２で述べるように、屏風の画像などを含む画像情報でも良い。かかる場合、地図情報処理装置１１は、以下の画像情報装置と同じものとなる。つまり、画像情報を格納し得る画像情報格納部と、用語と当該用語に対応する画像上の位置を示す位置情報と前記画像の縮尺についての情報である縮尺情報を有する地点情報を２以上格納し得る地点情報格納部と、前記２以上の地点情報が有する２以上の用語を読出し、メニューとして構成して出力する用語メニュー出力部と、前記用語メニュー出力部が出力した２以上の用語のうち、一の用語に対する指示である用語指示を受け付ける受付部と、前記受付部が受け付けた指示に対応する一の用語と対になる位置情報と縮尺情報を取得する位置縮尺情報取得部と、前記位置縮尺情報取得部が取得した位置情報と縮尺情報を用いて、前記画像情報格納部の画像情報から、出力する画像情報を取得する画像情報取得部と、前記画像情報取得部が取得した画像情報を出力する画像情報出力部を具備する画像情報処理装置、である。
【００９６】
また、上記において、前記画像情報出力部は、出力されている初期の画像情報から、最終的に前記位置情報と前記縮尺情報で特定される画像情報が出力されるまで、初期の画像情報から最終的が画像情報に移行する途中の画像情報を少なくとも一度以上出力する、ことは好適である。
【００９７】
さらに、上記において、前記画像情報出力部は、出力されている画像情報から、１段階以上、ズームアウトし、次に、前記位置情報で示される位置に近づくように、１段階以上、移動し、次に、前記縮尺情報で特定される縮尺に近づくように、１段階以上、ズームインし、前記位置情報および前記縮尺情報で特定される画像情報が最終的に出力されるように、多段的に画像情報を出力する、ことは好適である。
【００９８】
また、本実施の形態において、用語メニューが出力されたが、メニューの項目は、文章中に埋め込まれていても良い。かかる態様は、実施の形態２と同様である。
【００９９】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における地図情報処理装置を実現するソフトウェアは、以下のようなプログラムである。つまり、このプログラムは、コンピュータを、２以上の地点情報が有する２以上の用語を、記憶媒体から読出し、メニューとして構成して出力する用語メニュー出力部と、前記用語メニュー出力部が出力した２以上の用語のうち、一の用語に対する指示である用語指示を受け付ける受付部と、前記受付部が受け付けた指示に対応する一の用語と対になる位置情報と縮尺情報を、記憶媒体から取得する位置縮尺情報取得部と、前記位置縮尺情報取得部が取得した位置情報と縮尺情報を用いて、記憶媒体に格納されている地図情報から、出力する地図情報を取得する地図情報取得部と、前記地図情報取得部が取得した地図情報を出力する地図情報出力部として機能させるためのプログラム、である。
【０１００】
また、上記プログラムにおける、前記地点情報は、用語を説明するための情報である付属情報をも含み、コンピュータを、前記受付部が受け付けた指示に対応する一の用語と対になる付属情報を、前記地点情報格納部から読み出し、出力する付属情報出力部としてさらに機能させるためのプログラム、であることは好適である。
【０１０１】
また、上記プログラムにおいて、前記地図情報出力部を、地図情報を出力する場合に、出力されている初期の地図情報から、最終的に前記位置情報と前記縮尺情報で特定される地図情報が出力されるまで、初期の地図情報から最終的が地図情報に移行する途中の地図情報を少なくとも一度以上出力するように機能させることは好適である。
【０１０２】
また、上記プログラムにおいて、前記地図情報出力部を、地図情報を出力する場合に、出力されている初期の地図情報から、１段階以上に、ズームアウトし、次に、前記位置情報で示される位置に近づくように、１段階以上に、移動し、次に、前記縮尺情報で特定される縮尺に近づくように、１段階以上、ズームインし、前記位置情報および前記縮尺情報で特定される地図情報が出力されるように地図情報を出力するように機能させることは好適である。
【０１０３】
（実施の形態２）
【０１０４】
本実施の形態において、出力されている文章中の用語を指示すると、対応する画像が、段階的ズームインしながら出力されるが画像情報処理システムについて説明する。
【０１０５】
本実施の形態における画像情報処理システムの概念図は、図１と同様である。また、図１１は、本実施の形態における画像情報処理システムのブロック図である。
【０１０６】
画像情報処理システム２は、画像情報処理装置２１、情報端末装置２２を具備する。
【０１０７】
画像情報処理装置２１は、画像情報格納部２１０１、地点情報格納部２１０２、出力情報格納部２１０３、出力情報出力部２１０４、受付部２１０５、位置情報取得部２１０６、画像情報取得部２１０７、画像情報出力部２１０８を具備する。
【０１０８】
情報端末装置２２は、入力受付部１２０１、指示送信部１２０２、受信部２２０３、出力部２２０４を具備する。
【０１０９】
画像情報格納部２１０１は、画像情報を格納している。画像情報は、地図情報や屏風の画像などである。また、画像情報は、ビットマップ、ベクターデータなど、そのデータ構造やフォーマットは問わない。地図情報には、地形図やハザードマップなども含む。画像情報格納部２１０１は、不揮発性の記録媒体が好適であるが、揮発性の記録媒体でも実現可能である。画像情報格納部２１０１に画像情報が記憶される過程は問わない。例えば、記録媒体を介して画像情報が画像情報格納部２１０１で記憶されるようになってもよく、通信回線等を介して送信された画像情報が画像情報格納部２１０１で記憶されるようになってもよく、あるいは、入力デバイスを介して入力された画像情報が画像情報格納部２１０１で記憶されるようになってもよい。
【０１１０】
地点情報格納部２１０２は、地点情報を２以上格納している。地点情報は、用語と当該用語に対応する画像上の位置を示す位置情報を有する。また、地点情報は、さらに、付属情報をも含んでも良い。付属情報は、用語を説明するための情報であり、そのデータ構造は問わない。付属情報は、静止画でも動画でも音声でも良い。位置情報は、出力情報格納部２１０３の文章中に埋め込まれていても良い。地点情報格納部２１０２は、不揮発性の記録媒体が好適であるが、揮発性の記録媒体でも実現可能である。地点情報格納部２１０２に地点情報が記憶される過程は問わない。例えば、記録媒体を介して地点情報が地点情報格納部２１０２で記憶されるようになってもよく、通信回線等を介して送信された地点情報が地点情報格納部２１０２で記憶されるようになってもよく、あるいは、入力デバイスを介して入力された地点情報が地点情報格納部２１０２で記憶されるようになってもよい。
【０１１１】
出力情報格納部２１０３は、1以上の出力情報を格納している。出力情報は、用語または用語を含む文章である。出力情報は、構造化された文章でも良い。構造化された文章とは、章立てされている文章、ＨＴＭＬやＸＭＬなどの記述言語により構造化されている文章などである。出力情報格納部２１０３は、不揮発性の記録媒体が好適であるが、揮発性の記録媒体でも実現可能である。出力情報格納部２１０３に出力情報が記憶される過程は問わない。例えば、記録媒体を介して出力情報が出力情報格納部２１０３で記憶されるようになってもよく、通信回線等を介して送信された出力情報が出力情報格納部２１０３で記憶されるようになってもよく、あるいは、入力デバイスを介して入力された出力情報が出力情報格納部２１０３で記憶されるようになってもよい。
【０１１２】
出力情報出力部２１０４は、用語を指示可能な態様で、出力情報を出力する。ここで、指示可能な態様とは、例えば、用語の対応するアンカー、用語の対応するボタンなどを出力することである。また、出力とは、ディスプレイへの表示、プロジェクターを用いた投影、プリンタへの印字、音出力、外部の装置への送信、記録媒体への蓄積、他の処理装置や他のプログラム等への処理結果の引渡し等を含む概念である。出力情報出力部２１０４は、ディスプレイやスピーカー等の出力デバイスを含むと考えても含まないと考えても良い。出力情報出力部２１０４は、出力デバイスのドライバーソフトまたは、出力デバイスのドライバーソフトと出力デバイス等で実現され得る。
【０１１３】
受付部２１０５は、入力を受け付ける。入力とは、例えば、起動指示や用語指示などの各種命令や、各種データの入力である。起動指示とは、システムの起動指示である。起動指示により、例えば、画像情報と出力情報が出力される。また、用語指示とは、出力情報出力部２１０４が出力した出力情報中の一の用語に対する指示である。また、この受け付けとは、情報端末装置２２からの受信でも良いし、ユーザからの入力手段（入力手段は、テンキーやキーボードやマウスやメニュー画面によるもの等、何でも良い。）を用いた入力受付でも良い。受付部２１０５は、無線または有線の通信手段等で実現され得る。
【０１１４】
位置情報取得部２１０６は、受付部２１０５が受け付けた用語指示に対応する一の用語と対になる位置情報を、地点情報格納部２１０２から取得する。つまり、位置情報取得部２１０６は、受付部２１０５が受け付けた用語指示に対応する一の用語を含む地点情報が有する位置情報を、地点情報格納部２１０２から読み出す。位置情報取得部２１０６は、通常、ＭＰＵやメモリ等から実現され得る。位置情報取得部２１０６の処理手順は、通常、ソフトウェアで実現され、当該ソフトウェアはＲＯＭ等の記録媒体に記録されている。但し、ハードウェア（専用回路）で実現しても良い。
【０１１５】
画像情報取得部２１０７は、位置情報取得部２１０６が取得した位置情報を用いて、画像情報格納部２１０１から、出力する画像情報を取得する。また、画像情報取得部２１０７は、起動指示に対応して、初期の画像情報を、画像情報格納部２１０１から読み出す。なお、画像情報取得部２１０７は、後述するように、画像処理を行って、出力する画像情報を取得しても良い。また、画像情報取得部２１０７は、図７、図８を用いて説明した態様で画像情報を出力するように、対応する縮尺の画像情報を、順次、取得し、画像情報出力部２１０８に渡すことは好適である。画像情報取得部２１０７は、通常、ＭＰＵやメモリ等から実現され得る。画像情報取得部２１０７の処理手順は、通常、ソフトウェアで実現され、当該ソフトウェアはＲＯＭ等の記録媒体に記録されている。但し、ハードウェア（専用回路）で実現しても良い。
【０１１６】
画像情報出力部２１０８は、画像情報取得部２１０７が取得した画像情報を出力する。出力する画像情報を変更する場合（出力画像の位置が移動する場合）には、好ましくは、画像情報出力部２１０８は、出力されている画像情報から、１段階以上、ズームアウトし、次に、位置情報で示される位置に近づくように、１段階以上、移動し、次に、１段階以上、ズームインし、位置情報および縮尺情報で特定される地図情報が最終的に出力されるように、多段的に地図情報を出力する。かかる出力画像の移動方式は、図７、図８を用いて説明した移動方式である。つまり、まず、（１）上昇し、全体を見渡す。そして、(２)全体を把握しながら、目的地へ飛行する。さらに、（３）下降し、詳細を表示する。
【０１１７】
かかる動作のために、画像情報取得部２１０７は、以下のように画像情報を取得する。つまり、画像情報取得部２１０７は、現在、出力されている画像情報を縮小した（出力する画面サイズは、通常、同じ）1段階以上の画像情報を、順次取得し、画像情報出力部２１０８は、縮小した画像情報を順次、出力する。なお、現在、出力されている画像情報を縮小した画像情報は、画像情報取得部２１０７が画像処理を行って取得しても良いし、画像情報格納部２１０１から読み出しても良い。
【０１１８】
そして、次に、画像情報取得部２１０７は、現在地から移動先の地点に移動し、移動先が画面の中心（略中心でも良く、少なくとも画面上に入る）になるようにするために、１以上の画像情報を、順次、取得する。画像情報取得部２１０７は、現在地から移動先の地点に平行移動するための画像情報を、画像処理（中心点を移動し、切り出しを行う、という画像処理）により取得しても良いし、画像情報格納部２１０１から読み出しても良い。
【０１１９】
次に、画像情報取得部２１０７は、現在、出力されている画像情報（移動先に移動した後の画像情報）を拡大した（出力する画面サイズは、通常、同じ）１段階以上の画像情報を、順次取得し、画像情報出力部２１０８は、拡大した画像情報を順次、出力する。なお、現在、出力されている画像情報を拡大した画像情報は、画像情報取得部２１０７が画像処理を行って取得しても良いし、画像情報格納部２１０１から読み出しても良い。
【０１２０】
ここで、出力とは、通常、ディスプレイへの表示、プロジェクターを用いた投影、外部の表示装置への送信、表示のための他の処理装置や他のプログラム等への処理結果の引渡し等を含む概念である。画像情報出力部２１０８は、ディスプレイ等の出力デバイスを含むと考えても含まないと考えても良い。画像情報出力部２１０８は、出力デバイスのドライバーソフトまたは、出力デバイスのドライバーソフトと出力デバイス等で実現され得る。
【０１２１】
指示送信部２２０２は、入力受付部１２０１が受け付けた指示を、画像情報処理装置２１に送信する。指示送信部２２０２は、通常、無線または有線の通信手段で実現されるが、放送手段で実現されても良い。
【０１２２】
受信部２２０３は、画像情報処理装置２１から画像情報や出力情報を受信する。受信部２２０３は、実施の形態１で説明したような付属情報をも受信しても良い。受信部２２０３は、無線または有線の通信手段で実現され得る。
【０１２３】
出力部２２０４は、受信部２２０３が受信した画像情報や出力情報等を出力する。ここで、出力とは、ディスプレイへの表示、外部の装置（ディスプレイ装置）への送信等を含む概念である。
【０１２４】
次に、画像情報処理システムの動作について説明する。まず、画像情報処理装置の動作について、図１２のフローチャートを用いて説明する。
【０１２５】
（ステップＳ１２０１）受付部１１０３は、指示を受け付けたか否かを判断する。指示を受け付ければステップＳ１２０２に行き、指示を受け付けなければステップＳ１２０１に戻る。なお、ここでの受付は、通常、受信である。
【０１２６】
（ステップＳ１２０２）受付部２１０５は、ステップＳ１２０１で受け付けた指示が起動指示であるか否かを判断する。起動指示であればステップＳ１２０３に行き、起動指示でなければステップＳ１２０７に行く。
【０１２７】
（ステップＳ１２０３）画像情報取得部２１０７は、初期の画像情報を、画像情報格納部２１０１から読み出す。
【０１２８】
（ステップＳ１２０４）画像情報出力部２１０８は、ステップＳ１２０３で読み出された画像情報を出力する。なお、ここでの出力は、通常、情報端末装置２２への送信である。
【０１２９】
（ステップＳ１２０５）出力情報出力部２１０４は、初期の出力情報を、出力情報格納部２１０３から読み出す。
【０１３０】
（ステップＳ１２０６）出力情報出力部２１０４は、ステップＳ１２０５で読み出した出力情報を出力する。なお、ここでの出力は、通常、情報端末装置２２への送信である。ステップＳ１２０１に戻る。
【０１３１】
（ステップＳ１２０７）受付部２１０５は、ステップＳ１２０１で受け付けた指示が用語指示であるか否かを判断する。用語指示であればステップＳ１２０８に行き、用語指示でなければステップＳ１２０１に戻る。なお、用語指示でない場合、入力（指示）に対応する処理を行った後、ステップＳ１２０１に戻ることは好適である。用語指示ではない指示とは、例えば、出力されている画像情報を移動する指示や、画像情報を拡大／縮小する指示や、出力されている出力情報の表示を変更する指示（表示箇所を変えるために、バーを移動させる指示など）などである。
【０１３２】
（ステップＳ１２０８）位置情報取得部２１０６は、指示された用語に対応する位置情報を、地点情報格納部２１０２から読み出す。
【０１３３】
（ステップＳ１２０９）画像情報取得部２１０７は、カウンタｉに１を代入する。
【０１３４】
（ステップＳ１２１０）画像情報取得部２１０７は、「ｉ＜＝ｎ」であるか否かを判断する。「ｉ＜＝ｎ」を満たせばステップＳ１２１１に行き、「ｉ＜＝ｎ」を満たさなければステップＳ１２１４に行く。なお、ｎは、１以上の自然数であり、段階的にズームアウトする場合の段階の数である。画像情報取得部２１０７は、予めｎを保持している、とする。なお、ｎは、現在、出力されている地点、移動先の地点等に応じて、動的に変わっても良い。
【０１３５】
（ステップＳ１２１１）画像情報取得部２１０７は、現在出力されている画像情報に対して、ｉ番目の縮小画像を取得する。
【０１３６】
（ステップＳ１２１２）画像情報出力部２１０８は、ステップＳ１２１１で取得された縮小画像を出力する。
【０１３７】
（ステップＳ１２１３）画像情報取得部２１０７は、カウンタｉを１、インクリメントする。ステップＳ１２１０に戻る。
【０１３８】
（ステップＳ１２１４）画像情報取得部２１０７は、ステップＳ１２０８で読み出された位置情報と、現在出力されている画像情報に対応する位置情報（最初は、縮小前の画像情報の位置情報でも良い）とを比較し、移動が必要であるか否かを判断する。現在出力されている画像情報に対応する位置情報とは、好ましくは、現在出力されている画像情報の中心の位置情報である。ステップＳ１２０８で読み出された位置情報と、現在出力されている画像情報に対応する位置情報の距離の差が０または所定以内であれば、移動の必要は無いと判断し、所定以上であれば、移動の必要が有る、と判断する。
【０１３９】
（ステップＳ１２１５）画像情報取得部２１０７は、現在出力されている画像情報に対して、次の移動先の画像情報を取得する。なお、現在出力されている画像情報に対応する位置情報と、次の移動先の画像情報に対応する位置情報との距離の差は、予め決められた一定の差であることが好適であるが、都度、異なっていても良い。
【０１４０】
（ステップＳ１２１６）画像情報出力部２１０８は、ステップＳ１２１５で取得された縮小画像を出力する。ステップＳ１２１４に戻る。
【０１４１】
（ステップＳ１２１７）画像情報取得部２１０７は、カウンタｊに１を代入する。
【０１４２】
（ステップＳ１２１８）画像情報取得部２１０７は、「ｊ＜＝ｍ」であるか否かを判断する。「ｊ＜＝ｍ」を満たせばステップＳ１２１９に行き、「ｊ＜＝ｍ」を満たさなければステップＳ１２０１に戻る。なお、ｍは、１以上の自然数であり、段階的にズームインする場合の段階の数である。画像情報取得部２１０７は、予めｍを保持している、とする。なお、ｍは、現在、出力されている地点、移動先の地点等に応じて、動的に変わっても良い。さらに、ｍとｎは同じ数であることが好適であるが、異なっていても良い。
【０１４３】
（ステップＳ１２１９）画像情報取得部２１０７は、現在出力されている画像情報に対して、ｊ番目の拡大画像を取得する。
【０１４４】
（ステップＳ１２２０）画像情報出力部２１０８は、ステップＳ１２１９で取得された拡大画像を出力する。
【０１４５】
（ステップＳ１２２１）画像情報取得部２１０７は、カウンタｊを１、インクリメントする。ステップＳ１２１８に戻る。
【０１４６】
なお、図１２のフローチャートにおいて、電源オフや処理終了の割り込みにより処理は終了する。
【０１４７】
また、図１２のフローチャートにおいて、画像情報のズームイン、ズームアウト、移動等の処理は、上記した処理に限られないことは言うまでもない。実施の形態１で説明した方法も、その一例である。
【０１４８】
以下、本実施の形態における画像情報処理システムの具体的な動作について説明する。
画像情報処理システムの概念図は図１である。
【０１４９】
今、画像情報格納部２１０１には、図１３に示すような画像情報が格納されている。画像情報は、ここでは、地図情報（昔の地図）である。図１３の画像情報は、豊臣政権下の毛利氏領国時代の石見国の絵図である。
【０１５０】
また、地点情報格納部２１０２は、図１４に示す地点情報管理表を保持している。地点情報管理表は、用語と地点情報を有する１以上のレコードを多数格納している。地点情報は、「ＩＤ」「用語」「位置情報（Ｘ，Ｙ）」を有する。用語は、出力情報格納部２１０３の出力情報に含まれる用語であり、画像情報のある地点を表す用語である。位置情報（Ｘ，Ｙ）は、画像情報における位置を示す情報であり、平面上の座標情報である。
【０１５１】
また、出力情報格納部２１０３は、図１５に示す出力情報を格納している。出力情報は、例えば、ＨＴＭＬやＸＭＬ等の記述言語で記載されているファイルである。また、出力情報は、用語を含む。なお、出力情報は、実施の形態１で説明したような、メニューを構成するための１以上の用語でも良い。図１５に示す出力情報において、下線は、アンカーである。
【０１５２】
さらに、画像情報取得部２１０７は、図１２のフローチャートにおける「ｎ」「ｍ」として、それぞれ「３」を保持している、とする。
【０１５３】
かかる状況において、情報端末装置２２のユーザは、起動指示を入力した、とする。すると、入力受付部１２０１は起動指示を受け付け、指示送信部１２０２は起動指示を画像情報処理装置２１に送信する。
【０１５４】
次に、画像情報処理装置２１の受付部２１０５は起動指示を受信する。そして、画像情報取得部２１０７は、初期の画像情報を画像情報格納部２１０１から読み出し、画像情報出力部２１０８は、当該初期の画像情報を情報端末装置２２に送信する。また、出力情報出力部２１０４は、初期の出力情報を出力情報格納部２１０３から読み出し、当該初期の出力情報を情報端末装置２２に送信する。
【０１５５】
次に、情報端末装置２２の受信部２２０３は、初期の画像情報と出力情報を受信し、出力部２２０４は、初期の画像情報と出力情報を出力する。かかる出力例を、図１６に示す。図１６において、１６０１は、出力させたい画像情報の出力領域である。１６０２は、画像情報中の、１６０１の領域に出力されている位置を示すための領域である。１６０２の領域には、常に、出力画像全体が縮小されて出力されている。１６０２内に矩形（図１７の１７０１参照）が出力されている場合、その矩形は、画像情報の出力領域（１６０２の領域、１７０３の領域）に出力されている画像の、全体の中での位置を示す。
【０１５６】
そして、ユーザは、図１６で出力されている出力情報（文章）中の用語「吉野居城」を、マウス等で指示する（用語指示を入力する）、とする。
【０１５７】
次に、入力受付部１２０１は、用語「吉野居城」の用語指示を受け付ける。次に、指示送信部１２０２は、用語「吉野居城」の用語指示を、画像情報処理装置２１に送信する。
【０１５８】
次に、画像情報処理装置２１の受付部２１０５は、用語「吉野居城」の用語指示を受信する。次に、位置情報取得部２１０６は、指示された用語「吉野居城」に対応する位置情報（６８０，１５０）を、地点情報格納部２１０２から読み出す。そして、画像情報取得部２１０７、および画像情報出力部２１０８は、図７、図８を用いて説明した態様で、画像情報を出力しつつ、図１７に示すように、「吉野居城」を中心にした画像情報を出力する。
【０１５９】
図１７において、１７０２は、画像情報中の、１７０３の領域に出力されている位置を示すための領域である。１７０１は、画面に出力されている画像情報の、全体の中での位置を示す矩形である。１７０３は、画面に出力されている画像情報（ユーザが見たい画像情報）を出力する領域である。
【０１６０】
次に、ユーザは、画面の横の領域１７０４に出力されている出力情報（文章）を読みながらバーを下げていき、「大森銀山」の箇所まで、文章の表示を移動させた、とする。そして、ユーザは、「大森銀山」の位置を知りたくて、領域１７０４に出力されている出力情報（文章）中の「大森銀山」を指示した、とする。
【０１６１】
そして、入力受付部１２０１は、用語「大森銀山」に対する用語指示を受け付ける。次に、指示送信部１２０２は、用語「大森銀山」に対する用語指示を、画像情報処理装置２１に送信する。
【０１６２】
次に、画像情報処理装置２１の受付部２１０５は、用語「大森銀山」に対する用語指示を受信する。
【０１６３】
そして、位置情報取得部２１０６は、指示された用語「大森銀山」に対応する位置情報（３０５，１７５）を、図１４の地点情報管理表から読み出す。
【０１６４】
次に、画像情報取得部２１０７は、図１６の「吉野居城」の画像情報から、第一のズームアウトする画像情報を取得する。なお、この画像情報の位置は、「吉野居城」を中心とする位置である。そして、画像情報出力部２１０８は、取得された縮小画像（ズームアウトされた画像）を出力する。
【０１６５】
次に、画像情報取得部２１０７は、第二の、さらにズームアウトする画像情報を取得する。そして、画像情報出力部２１０８は、取得された縮小画像（さらにズームアウトされた画像）を出力する。
【０１６６】
次に、画像情報取得部２１０７は、第三の、さらにズームアウトする画像情報を取得する。そして、画像情報出力部２１０８は、取得された縮小画像（さらにズームアウトされた画像）を出力する。
【０１６７】
次に、画像情報取得部２１０７は、元の位置情報（６８０，１５０）と、取得された位置情報（３０５，１７５）を取得する。ここで、画像情報取得部２１０７は、２点が異なる（所定以上の距離がある）ので、移動が必要である、と判断する、とする。なお、かかる判断は必須ではない。
【０１６８】
次に、画像情報取得部２１０７は、現在出力されている画像情報に対して、次の移動先の画像情報を取得する。この移動先の画像情報は、通常、「吉野居城」からまっすぐに「大森銀山」に移動する場合の途中の画像情報であり、最もズームアウトした画像情報と同一の縮尺（拡大度）の画像情報である。
【０１６９】
次に、画像情報出力部２１０８は、取得された縮小画像を、情報端末装置２２に送信する。
【０１７０】
次に、情報端末装置２２の受信部２２０３は縮小画像を受信し、出力部２２０４は縮小画像を出力する。
【０１７１】
次に、同様に、画像情報取得部２１０７は、現在出力されている画像情報に対して、さらに次の移動先の画像情報を取得する。そして、画像情報出力部２１０８は、取得された画像情報を、情報端末装置２２に送信する。次に、情報端末装置２２の受信部２２０３は画像情報を受信し、出力部２２０４は画像情報を出力する。かかる移動の処理を、「大森銀山」の位置情報（３０５，１７５）が画面の真中になるまで行う。なお、画像情報を移動させる処理は公知技術であるので、詳細な説明を省略する。
【０１７２】
そして、画像情報取得部２１０７は、現在出力されている画像情報（「大森銀山」の位置が中心にある縮小画像）に対して、１番目の拡大画像を取得する。そして、画像情報出力部２１０８は、取得された拡大画像を、情報端末装置２２に送信する。
【０１７３】
次に、情報端末装置２２の受信部２２０３は拡大画像を受信し、出力部２２０４は拡大画像を出力する。なお、かかる処理は、いわゆるズームインの処理である。
【０１７４】
かかるズームインの処理を３回行い、「大森銀山」を中心にする拡大画像が、情報端末装置２２に出力される。
【０１７５】
以上の動作を図１８に示す。図１８において、最初の「吉野居城」の拡大画像（図１８（ａ））から、図１８（ｂ）（ｃ）等とズームアウトする。次に、図１８（ｃ）から図１８（ｄ）に順次、移動する。そして、「大森銀山」の位置にやってくる。次に、図１８（ｄ）から図１８（ｅ）（ｆ）と順に、ズームインして、最終的に、「大森銀山」の拡大画像（図１８（ｆ））が、情報端末装置２２に出力される。
【０１７６】
以上、本実施の形態によれば、出力されている文章中の用語を指示すると、対応する画像が、段階的にズームインしながら出力される。また、着目点をある地点から別の地点に移す場合、両地点の全体の位置づけを確認しながら、出力されている画像情報を移動できる。かかる処理により、ユーザは、例えば、歴史的書籍（歴史的情報）を、効果的に学習できる。また、地図情報を効果的に閲覧できる。
【０１７７】
なお、本実施の形態の具体例によれば、出力情報は文章であったが、実施の形態１で述べたような、メニューまたは１以上の選択可能な用語が出力情報であっても良い。
【０１７８】
また、本実施の形態の具体例によれば、画像情報は地図情報であったが、図１９に示すような屏風の画像情報の他、閲覧対象となる画像情報であれば良い。
【０１７９】
また、本実施の形態によれば、画像情報の出力は、図７、図８で説明したように、上昇（ズームアウト）し、目的地点を含む全体を見渡すようにした後、目的地点が中心にくるように移動した後、用語に対応する縮尺情報に合致するように目的地点に下降（ズームイン）した。しかし、平行移動なしでも良い。つまり、まず、上昇（ズームアウト）し、目的地点を含む全体を見渡すようにする。そして、目的地点に、斜めに下降（移動およびズームイン）しても良い。これは、例えば、空撮の場合、飛行機が上昇し、目的地点に向けて斜め下に降下していくイメージである。
【０１８０】
また、本実施の形態によれば、地点情報は縮尺情報を有しなかった。しかし、実施の形態１と同様に、地点情報は縮尺情報を有しても良い。かかる場合、用語に対応する縮尺の画像情報が、最終的に出力される。かかる処理は、実施の形態１と同様である。
【０１８１】
さらに、本実施の形態における画像情報処理装置を実現するソフトウェアは、以下のようなプログラムである。つまり、このプログラムは、コンピュータを、用語を指示可能な態様で、出力情報を出力する出力情報出力部と、前記出力情報出力部が出力した出力情報中の一の用語に対する指示である用語指示を受け付ける受付部と、前記受付部が受け付けた用語指示に対応する一の用語と対になる位置情報を取得する位置情報取得部と、前記位置情報取得部が取得した位置情報を用いて、記憶媒体から、出力する画像情報を取得する画像情報取得部と、前記画像情報取得部が取得した画像情報を出力する画像情報出力部として機能させるためのプログラムであって、前記画像情報出力部を、出力されている画像情報から、１段階以上、ズームアウトし、次に、前記位置情報で示される位置に近づくように、１段階以上、移動し、次に、１段階以上、ズームインし、前記位置情報で特定される画像情報が最終的に出力されるように、多段的に画像情報を出力するように機能させるためのプログラム、である。
【０１８２】
また、図９は、本明細書で述べたプログラムを実行して、上述した種々の実施の形態の地図情報処理装置、画像情報処理装置および情報端末装置を実現するコンピュータの外観を示す。上述の実施の形態は、コンピュータハードウェア及びその上で実行されるコンピュータプログラムで実現され得る。図９は、このコンピュータシステム３４０の概観図であり、図１０は、コンピュータシステム３４０のブロック図である。
【０１８３】
図９において、コンピュータシステム３４０は、ＦＤ（Ｆｌｅｘｉｂｌｅ  Ｄｉｓｋ）ドライブ、ＣＤ−ＲＯＭ（Ｃｏｍｐａｃｔ  Ｄｉｓｋ  Ｒｅａｄ  Ｏｎｌｙ  Ｍｅｍｏｒｙ）ドライブを含むコンピュータ３４１と、キーボード３４２と、マウス３４３と、モニタ３４４とを含む。
【０１８４】
図１０において、コンピュータ３４１は、ＦＤドライブ３４１１、ＣＤ−ＲＯＭドライブ３４１２に加えて、ＣＰＵ（Ｃｅｎｔｒａｌ  Ｐｒｏｃｅｓｓｉｎｇ  Ｕｎｉｔ）３４１３と、ＣＰＵ３４１３、ＣＤ−ＲＯＭドライブ３４１２及びＦＤドライブ３４１１に接続されたバス３４１４と、ブートアッププログラム等のプログラムを記憶するためのＲＯＭ（Ｒｅａｄ−Ｏｎｌｙ  Ｍｅｍｏｒｙ）３４１５と、ＣＰＵ３４１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）３４１６と、アプリケーションプログラム、システムプログラム、及びデータを記憶するためのハードディスク３４１７とを含む。ここでは、図示しないが、コンピュータ３４１は、さらに、ＬＡＮへの接続を提供するネットワークカードを含んでも良い。
【０１８５】
コンピュータシステム３４０に、上述した実施の形態の画像出力装置等の機能を実行させるプログラムは、ＣＤ−ＲＯＭ３５０１、またはＦＤ３５０２に記憶されて、ＣＤ−ＲＯＭドライブ３４１２またはＦＤドライブ３４１１に挿入され、さらにハードディスク３４１７に転送されても良い。これに代えて、プログラムは、図示しないネットワークを介してコンピュータ３４１に送信され、ハードディスク３４１７に記憶されても良い。プログラムは実行の際にＲＡＭ３４１６にロードされる。プログラムは、ＣＤ−ＲＯＭ３５０１、ＦＤ３５０２またはネットワークから直接、ロードされても良い。
【０１８６】
プログラムは、コンピュータ３４１に、上述した実施の形態の画像出力装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３４０がどのように動作するかは周知であり、詳細な説明は省略する。
【０１８７】
また、上記プログラムにおいて、前記２以上の地点情報が有する２以上の用語は、階層化された情報であることは好適である。
【０１８８】
また、上記各実施の形態において、各処理（各機能）は、単一の装置（システム）によって集中処理されることによって実現されてもよく、あるいは、複数の装置によって分散処理されることによって実現されてもよい。
【０１８９】
また、上記プログラムを実行するコンピュータは、単数であってもよく、複数であってもよい。すなわち、集中処理を行ってもよく、あるいは分散処理を行ってもよい。
【０１９０】
また、上記各実施の形態において、一の装置に存在する２以上の通信手段は、物理的に一の媒体で実現されても良いことは言うまでもない。
【０１９１】
本発明は、以上の実施の形態に限定されることなく、種々の変更が可能であり、それらも本発明の範囲内に包含されるものであることは言うまでもない。
【産業上の利用可能性】
【０１９２】
以上のように、本発明にかかる地図情報処理装置は、容易に所望の場所の地図が出力される、という効果を有し、地図情報処理装置等として有用である。
【図面の簡単な説明】
【０１９３】
【図１】実施の形態１における地図情報処理システムを示す概念図
【図２】同地図情報処理システムのブロック図
【図３】同地図情報処理装置の動作について説明するフローチャート
【図４】同地図情報の出力動作について説明するフローチャート
【図５】同地点情報管理表を示す図
【図６】同表示例を示す図
【図７】同地図出力の概念を示す図
【図８】同地図出力の遷移例を示す図
【図９】同地図情報処理装置等のコンピュータシステムの概観図
【図１０】同コンピュータシステムのブロック図
【図１１】実施の形態２における画像情報処理システムのブロック図
【図１２】同画像情報処理装置の動作について説明するフローチャート
【図１３】同画像情報の例を示す図
【図１４】同地点情報管理表を示す図
【図１５】同出力情報の例を示す図
【図１６】同出力例を示す図
【図１７】同出力例を示す図
【図１８】同出力の変化を示す図
【図１９】同画像情報の例を示す図
【符号の説明】
【０１９４】
１１  地図情報処理装置
１２、２２  情報端末装置
２１  画像情報処理装置
１１０１  地図情報格納部
１１０２、２１０２  地点情報格納部
１１０３、２１０５  受付部
１１０４  用語メニュー出力部
１１０５  位置縮尺情報取得部
１１０６  地図情報取得部
１１０７  地図情報出力部
１１０８  付属情報出力部
１２０１  入力受付部
１２０２、２２０２  指示送信部
１２０３  メニュー受信部
１２０４  地図情報受信部
１２０５、２２０４  出力部
２１０１  画像情報格納部
２１０３  出力情報格納部
２１０４  出力情報出力部
２１０６  位置情報取得部
２１０７  画像情報取得部
２１０８  画像情報出力部
２２０３  受信部
【図１】
2008257172.tif 000003
【図２】
2008257172.tif 000004
【図３】
2008257172.tif 000005
【図４】
2008257172.tif 000006
【図５】
2008257172.tif 000007
【図９】
2008257172.tif 000008
【図１０】
2008257172.tif 000009
【図１１】
2008257172.tif 000010
【図１２】
2008257172.tif 000011
【図１４】
2008257172.tif 000012
【図１５】
2008257172.tif 000013
【図６】
2008257172.tif 000014
【図７】
2008257172.tif 000015
【図８】
2008257172.tif 000016
【図１３】
2008257172.tif 000017
【図１６】
2008257172.tif 000018
【図１７】
2008257172.tif 000019
【図１８】
2008257172.tif 000020
【図１９】
2008257172.tif 000021